(57)【特許請求の範囲】
【請求項１】
移動可能な脚ベースと、この脚ベースの左右方向中央に立設されその両側にオプション取付部を有した支柱と、前記支柱の左右にまたがって位置づけられ、底板部とこの底板部の周縁から立ち上がる立壁部とこれら底板部及び立壁部の前側すなわち使用端側を平面視凹ませて形成した退避部とを有し、その退避部の長さが少なくとも支柱の取付面に平行な方向の外寸寸法を有しているとともに前記退避部の左右両側に前記底板部が存在する両側トレーとを具備してなる搬送用什器であって、
前記支柱の両側のオプション取付部を利用して、このオプション取付部に両側トレー用ブラケットを装着し、その両側トレー用ブラケットに対し後方から前記両側トレーをスライドして装着することができるとともに、前記両側トレーを前記支柱から左右方向外方に向かって支持させることができ、
前記支柱が、前記両側に前記オプション取付部を有した取付面を備えたものであり、前記取付面と直交する方向の外法寸法を前記取付面に平行な方向の外法寸法よりも小さくしたものである搬送用什器。
【請求項２】
移動可能な脚ベースと、この脚ベースの左右方向中央に立設されその両側にオプション取付部を有した支柱と、前記支柱の左右にまたがって位置づけられ、底板部とこの底板部の周縁から立ち上がる立壁部とこれら底板部及び立壁部の前側すなわち使用端側を平面視凹ませて形成した退避部とを有し、その退避部の長さが少なくとも支柱の取付面に平行な方向の外寸寸法を有しているとともに前記退避部の左右両側に前記底板部が存在する両側トレーとを具備してなる搬送用什器であって、
前記支柱の両側のオプション取付部を利用して、前記両側トレーを前記支柱から左右方向外方に向かって支持させることができ、
前記支柱が、前記両側に前記オプション取付部を有した取付面を備えたものであり、前記取付面と直交する方向の外法寸法を前記取付面に平行な方向の外法寸法よりも小さくしたものであるとともに、
前記両側トレーの前端が前記退避部を境に前記支柱を挟んで２つに分かれ、それら支柱を挟んで２つに分かれた領域のそれぞれが左右方向に延びる姿勢で装着される短寸板により区画可能となっている搬送用什器。
【発明の詳細な説明】
【技術分野】
【０００１】
本発明は、病院や診療所等において好適に使用される搬送用什器に関する。
【背景技術】
【０００２】
従来、病院や診療所等において、電子カルテ用ノートＰＣやレントゲンフィルムその他の資料、薬剤、器具類の収納及び運搬の用に供され、移動可能な脚ベースと、この脚ベースに立設されオプション取付部を有する支柱と、前記支柱上に配された天板とを備えた搬送用什器が、ナースカートと称されるものを始めとして広く用いられている。従来広く用いられている搬送用什器は、例えば、脚ベースから立設した支柱にオプションであるトレーユニット等の収納具を前後に支持させる態様（例えば、特許文献１を参照）や、脚ベースの左右両側からそれぞれ立設した支柱にレールを介して前記トレーユニット等の収納具の左右両側を支持させる態様（例えば、特許文献２を参照）を採用しており、全体としても略左右対称の形状を備えているものが多い。
【０００３】
ところで、病院や診療所等の現場においては、使用者が頻繁に移動しながら作業をスムーズに行うべく、搬送用什器の周囲の全方向からスムーズに物品の出し入れを行いたいという要望がある。
【０００４】
しかしながら、従来の搬送用什器の構成では、支柱を隔てた両側においては略非対称の形状を有することから、物品の大きさによってはそれぞれ搬送用什器の支柱を隔てた何れかのスペースに分別して出し入れしなければならないという問題があった。
【先行技術文献】
【特許文献】
【０００５】
【特許文献１】特開２０１３−１７７０７号公報
【特許文献２】特開２０１４−１４５１４号公報
【発明の概要】
【発明が解決しようとする課題】
【０００６】
本発明は、このような不具合に着目したものであり、周囲の何れの方向からでも物品の大きさに関わらず使用者が物品の出し入れを容易に行い得る搬送用什器を提供することを目的としている。
【課題を解決するための手段】
【０００７】
本発明は、このような目的を達成するために、次のような手段を講じたものである。
【０００８】
すなわち請求項１の発明に係る搬送用什器は、移動可能な脚ベースと、この脚ベースの左右方向中央に立設されその両側にオプション取付部を有した支柱と、前記支柱の左右にまたがって位置づけられ、底板部とこの底板部の周縁から立ち上がる立壁部とこれら底板部及び立壁部の前側すなわち使用端側を平面視凹ませて形成した退避部とを有し、その退避部の長さが少なくとも支柱の取付面に平行な方向の外寸寸法を有しているとともに前記退避部の左右両側に前記底板部が存在する両側トレーとを具備してなる搬送用什器であって、前記支柱の両側のオプション取付部を利用して、このオプション取付部に両側トレー用ブラケットを装着し、その両側トレー用ブラケットに対し後方から前記両側トレーをスライドして装着することができるとともに、前記両側トレーを前記支柱から左右方向外方に向かって支持させることができ、前記支柱が、前記両側に前記オプション取付部を有した取付面を備えたものであり、前記取付面と直交する方向の外法寸法を前記取付面に平行な方向の外法寸法よりも小さくしたものであることを特徴とする。
また、請求項２の発明に係る搬送用什器は、移動可能な脚ベースと、この脚ベースの左右方向中央に立設されその両側にオプション取付部を有した支柱と、前記支柱の左右にまたがって位置づけられ、底板部とこの底板部の周縁から立ち上がる立壁部とこれら底板部及び立壁部の前側すなわち使用端側を平面視凹ませて形成した退避部とを有し、その退避部の長さが少なくとも支柱の取付面に平行な方向の外寸寸法を有しているとともに前記退避部の左右両側に前記底板部が存在する両側トレーとを具備してなる搬送用什器であって、前記支柱の両側のオプション取付部を利用して、前記両側トレーを前記支柱から左右方向外方に向かって支持させることができ、前記支柱が、前記両側に前記オプション取付部を有した取付面を備えたものであり、前記取付面と直交する方向の外法寸法を前記取付面に平行な方向の外法寸法よりも小さくしたものであるとともに、前記両側トレーの前端が前記退避部を境に前記支柱を挟んで２つに分かれ、それら支柱を挟んで２つに分かれた領域のそれぞれが左右方向に延びる姿勢で装着される短寸板により区画可能となっていることを特徴とする。
【０００９】
これらのようなものであれば、従来の搬送用什器のように物品の大きさによっては支柱を隔てて設けられた何れかのオプション部材の収納スペースを選択して出し入れしなければならないことに起因する物品の分別といった作業を行う必要はなく速やかに物品の出し入れを行い得る。換言すれば、使用者は物品の大きさや使用者に対する搬送用什器の向きを気にすることなくオプション部材に対する物品の出し入れを始めとした搬送用什器を擁する作業を好適に行うことができる。加えて本発明によれば、支柱の両側に位置する空間を物品収容のための空間としてより有効に利用することができる。すなわち本発明によれば、周囲の何れの方向からでも物品の大きさに関わらず使用者が物品の出し入れを容易に行い得る搬送用什器を提供することが可能となる。
【発明の効果】
【００１５】
本発明によれば、周囲の何れの方向からでも物品の大きさに関わらず使用者が物品の出し入れを容易に行い得る搬送用什器を提供することができる。
【図面の簡単な説明】
【００１６】
【図１】本発明の一実施形態に係る斜視図。
【図２】同平面図。
【図３】同正面図。
【図４】同背面図。
【図５】同右側面図。
【図６】同分解斜視図。
【図７】同他の分解斜視図。
【図８】同実施形態の要部を示す図３に係るＡ−Ａ線断面図。
【図９】同実施形態に係る他の斜視図。
【図１０】同実施形態に係る構成説明図。
【図１１】同上。
【図１２】図８に係るＢ−Ｂ線断面図。
【図１３】同実施形態に係る作用説明図。
【発明を実施するための形態】
【００１７】
以下、本発明の一実施形態を、図面を参照して説明する。
【００１８】
本実施形態に係る搬送用什器たるナースカートＮは、移動可能な脚ベース１と、この脚ベース１上に立設された支柱２と、この支柱２の上端に剛結された支持構造体３と、この支持構造体３の上に配設された天板４と、この天板４の一端側に離間状態で沿い設けられた略環状をなすハンドル５とを具備してなる。そして、前記支柱２の両側面にオプション部材たるトレー６１１をそれぞれ片持状態で支持させている。また前記支柱２には前記トレー６１１とともに、高さ位置を異ならせて同じくオプション部材である棚板６２１を支持させている。そして本実施形態では図１〜図８に示すトレー６１１及び棚板６２１に代えて、図９〜図１１に示すオプション部材である両側トレー６３１を前記支柱２に支持させることもできる。
【００１９】
なお、図１はこのナースカートＮを示す斜視図、図２は同平面図、図３は同正面図、図４は背面図、そして図５は同右側面図である。この明細書において「前」とは、天板４の前記一端側である使用端側を意味し、「後」とは、天板４の反使用端側を意味する。「左」「右」とは、前記正面図における左右をそれぞれ意味するものとする。
【００２０】
次いで、各部の構成を具体的に説明する。
【００２１】
＜脚ベース＞
前記脚ベース１は、図１〜図７に示すように、横断面形状が各部において同じである素材を所定長さに切断して作られる中間部材１１と、この中間部材１１の両端に結合された型成形品である左右の脚羽根１２とを備えたものである。
【００２２】
前記中間部材１１は、所定の長さに切断してなるスチール製の角型パイプ素材を主体としているものである。の中間部材１１の左右方向中央、換言すれば脚ベース１の左右方向中央には、前記支柱２を取り付けるための支柱取付部１３が設けられている。
【００２３】
一方、前記脚羽根１２は、図１〜図７に示すように、例えばアルミダイキャスト製のもので、下方に開放された中空体状をなしている。具体的には、各脚羽根１２は、上壁と、内外の側壁と、前後の端壁とを一体に備えてなるもので、その内部には補強用のリブ１２ｒが一体に設けられている。右の脚羽根１２と左の脚羽根１２とは、左右対称形状をなしており、各脚羽根１２の前後方向両端部には、それぞれ３６０度全方向に首振り可能なキャスタ１４が取り付けられている。各脚羽根１２の内側壁における前後方向中間位置、より具体的には、前記脚ベース１の前後方向中央よりも天板４の使用端側に偏位した中間位置には、前記中間部材１１と連結するための連接部１５がそれぞれ設けられている。
【００２４】
＜支柱＞
前記支柱２は、脚ベース１の左右方向中央に立設されその左右にオプションを片持状態で取り付けるための取付面２ａとし、当該取付面２ａにオプション取付部２ｂを設けている。そして、この支柱２に全荷重を支持させ得る状態で当該支柱２上に前記天板４が配されている。換言すれば、前記天板４を一本の支柱２のみによって支持するようにしている。なお、この実施形態においては、前記支柱２は、脚ベース１の左右方向中央に平面視略重複した位置に立設されており、後述するように、この支柱２の左側、右側に同形状をなすトレー６１１を配するようにしている。本実施形態では、前記脚ベース１の左右方向である両側に前記オプション取付部２ｂを有した取付面２ａを備えたものとし、前記取付面２ａと直交する方向の外法寸法を前記取付面２ａに平行な方向の外法寸法よりも小さく設定している。また、この支柱２は、前記脚ベース１に対しては左右方向中央、前記天板４に対しては使用端側に偏心させて配されている。
【００２５】
詳述すれば、この支柱２は、テレスコープ式に伸縮し得る構造のもので、図１〜図８に示すように、前記脚ベース１に固定された静止要素２１と、この静止要素２１に昇降可能に保持され前記支持構造体３を介して前記天板４を支持する昇降要素２２と、この昇降要素２２の昇降を所望位置においてロックする機能を有したガススプリング２３（図８）とを備えてなる。
【００２６】
前記静止要素２１は、同図に示すように、前記昇降要素２２を昇降可能に包持するコア部材２４と、このコア部材２４の前後両側に装着された化粧部材２５と、これら化粧部材２５及び前記コア部材２４間に前記取付面２ａ毎に二本ずつ形成される目地底を形成する目地底材２６とを具備してなる。コア部材２４は、アルミ押出成形素材を所定の長さに切断した、例えば概略角柱パイプ状のものである。そして、このコア部材２４は前記脚ベース１に取り付けるべく内周には図示しない雌ネジ溝が刻設されている。また、このコア部材２４の内部には凹陥したレール面が上端から下端に亘って形成されており、これらのレール面で昇降要素２２の図示しないベアリングを案内するようになっている。前記化粧部材２５は、図５〜図８に示すように、前記コア部材２４との間に目地２ｃを形成する内壁と、この内壁の両端間に設けられ外方に部分円弧状をなして膨出する湾曲した外壁とを一体に備えてなるもので、例えば、アルミ押出成形素材を所定の長さに切断することにより作られている。これら化粧部材２５と前記コア部材２４との間に配される前記目地底材２６は、横断面コ字状をなす押出成形素材を所定の長さに切断することにより作られている。
【００２７】
このようにしてなる支柱２の静止要素２１は、その取付面２ａである左側面及び右側面に前記各オプションを高さ位置変更可能に取り付けることができるオプション取付部２ｂをそれぞれ備えている。具体的には、各オプション取付部２ｂは、前記各目地底材２６に複数のフック孔２ｄを上下方向に所定のピッチで形成したものであり、前記フック孔２ｄは、前記目地底材２６の上下方向全長に亘って形成されている。すなわち、前記各オプション取付部２ｂは、平均的な使用者の想定膝高さより上の清潔領域と呼ばれる領域から前記想定膝高さより下の不潔領域と呼ばれる領域に亘って設けられている。かかる静止要素２１に前記昇降要素２２が昇降可能に支持されている。
【００２８】
前記昇降要素２２は、同図に示すように、金属製のパイプ部材２７と、このパイプ部材２７を前記静止要素２１に対して昇降可能に支持させる図示しない複数のベアリングとを具備してなる。前記パイプ部材２７は、スチール等の角柱パイプ素材を所定の長さに切断することにより作られている。前記パイプ部材２７の上端近傍部には、前記ガススプリング２３のロックを解除するためのロック解除レバー２８が回動可能に軸着されている。
【００２９】
前記ガススプリング２３は、静止要素２１の下端に取り付けられた図示しないシリンダと、このシリンダ内のピストンに接続されその上端側を該シリンダの上端から突没可能に突出させたロッド２９（図８）とを具備してなる通常のもので、常時は前記ロッド２９が前記シリンダに対してロックされている。そして、前記ロッド２９の先端に設けた操作端を押し下げた場合にだけ、前記ロッド２９を封入ガスの弾性反発力により上動させたり前記ガスの弾性反発力に抗する操作力により降下させたりすることができるようになっている。このガススプリング２３のロッド２９の先端部は、前記昇降要素２２のパイプ部材２７に固定されている。すなわち、ロッド２９の先端に設けられた操作端を、前記ロック解除レバー２８の内方端の下側に臨ませて、前記ロック解除レバー２８の外方端側を上方に操作することによって、そのロック解除レバー２８の内方端が前記操作端を押し下げてこのガススプリング２３のロック状態を解除することができるようになっている。
【００３０】
＜支持構造体＞
前記支持構造体３は、図１〜図７に示すように、前記支柱２の上端に剛結された金属製のもので、前記支柱２における昇降要素２２のパイプ部材２７に固定された横架材３１と、この横架材３１の両側端に溶接等により剛結され天板４の使用端及び両側に沿って平面視コの字形に延びるステー３２と、当該ステー３２に設けられた天板受け３３と、この天板受け３３から外方に突出させて設けたフック３４とを有している。前記横架材３１は、スチール製の角柱パイプ素材を所定長さに切断することにより作られたもので、前記パイプ部材２７及び前記昇降要素２２はそれぞれ溶接等により剛結されている。前記ステー３２は、例えばスチール製の円柱パイプ材からなるものであり、上方に位置する天板４との間には手が挿入し得る程度の空間が設けられている。これにより当該ステー３２は使用者がハンドル５の代わりに側方からも把持することができ、ナースカートＮを容易に移動させ得るようになっている。前記フック３４は、前記天板受け３３の下端付近から外方に向けて、平面視天板４の側縁よりも若干外側まで突出している。そして天板受け３３は、前記ステー３２の前後計４箇所に位置付けられたもので、下端部は前記ステー３２に固定されるとともに、上端部は前記天板４を安定して支持しつつ、前記他のオプションを固定できるように構成されている。そして本実施形態に係る前記支持構造体３は前記天板受け３３と前記天板４との間に、例えばパーソナルコンピュータ用のバッテリを収容するためのバッテリ棚７１、カルテ等の書類を収容し得るファイルトレー７２及びハンドル５近傍において筆記具やその他の部品を収容するためのペントレー７３といった他のオプションを挟持することにより取り付けるための構造を有する。
【００３１】
＜天板＞
前記天板４は、図１〜図７に示すように、パーソナルコンピュータやカルテ等を載置するための平面視略長方形状のもので、前記脚ベース１及び前記支柱２の上方に配され前記トレー６１１を平面視において略覆い得る形態を有したものである。この天板４は、例えば、木製の芯材４１と、この芯材４１の上面に添設されたメラミン樹脂板等の化粧板４２と、この化粧板４２及び前記芯材４１の周縁を包囲するエッジ部材４３とを具備してなる。前記芯材４１の下面側における前記支持構造体３に対応する部位には、インサートナット４４が埋設されているとともに、反使用端側には後述する柵部材４６を取り付けるための雌ねじ穴４５が形成されている。この天板４は、前記支持構造体３の天板受け３３上に配置され、この天板受け３３の位置で前記インサートナット４４に螺着されるボルトにより該支持構造体３上に固定されている。
【００３２】
そしてこの天板４には、図１〜図７に示すように、前記天板４の反使用端側からパーソナルコンピュータ等の天板４上の載置物が落下しないように、天板４の反使用端から両側の一部に亘って柵部材４６を取り付けている。前記柵部材４６は、例えば表面が塗装された金属製の線材を主体としたものであり、前記天板４の雌ねじ穴４５にねじ止めさせるための柵取付板４７と、この柵取付板から天板４の外縁近傍まで延出し上方に起立する起立線材４８と、この起起立線材４８の上端同士を接続する水平線材４９とを備えたものである。これら取付板４７と起立線材４８及び水平線材４９を構成する線材とは、それぞれ溶接等により剛結されている。
【００３３】
＜ハンドル＞
前記ハンドル５は、図１〜図７に示すように、前記天板４の使用端側に離間状態で沿い設けられたもので、前記支持構造体３に支持されている。このハンドル５は、前記天板４の上面よりも下に隙間を介して配されることで、使用者が使用端側から容易に把持することができるようになっている。
【００３４】
詳述すれば、前記ハンドル５は、前記ステー３２よりも一回り径が大きな平面視概略Ｌ形をなし上下から前記ステー３２両側のコーナ部分を覆う二つの側カバー５１と、この二つの側カバー５１間に装着された中央カバー５２とを具備してなる。前記側カバー５１は、前記天板４の使用端に沿って水平に延びる使用端側水平部分５３と、この使用端側水平部分５３の両端から前記天板４の側縁に沿って後方に延びる側端水平部分５４とを有し、前端部分５６は前記中央カバーに略接するとともに後端部分５５は前記天板受け３３近傍に位置付けられる。前記中央カバー５２は、前記使用端側水平部分５３の一部を覆いつつ使用者に把持され易い形状を有するもので、合成樹脂等により作られている。このハンドル５はさらに、前記側端水平部分５４の内側にコードを掛けるためのコード掛け５７を備えている。前記コード掛け５７は、前記天板４上に載置されたパーソナルコンピュータ等の機器から延びる各種のコードを着脱可能に掛け止めし得るように構成されたものである。
【００３５】
この実施形態における図１〜図７では、前記支柱２の両側に形成される天板４の下方の空間にオプションである２組のトレーユニット６１及び棚板ユニット６２を配している。
【００３６】
＜トレーユニット＞
前記トレーユニット６１は、板金素材の折り曲げにより成形されたブラケット６１２と、このブラケット６１２に着脱可能に保持されるトレー６１１とを具備してなるもので、当該ブラケット６１２を介して前記支柱２の取付面２ａたる両側面に設けられたオプション取付部２ｂに高さ位置変更可能に取り付けられる。上側のトレーユニット６１は、前記清潔領域に取り付けられており、例えば、使用前の医療用具や衣類或いは薬品類などが収容される。一方、下側のトレーユニット６１は、前記不潔領域に取り付けられており、例えば、使用済みの医療用具や衣類等が投入される。
【００３７】
前記トレーユニット６１は、前後方向に対称形状をなすトレー６１１と、このトレー６１１を前記オプション取付部２ｂに取り付けるためのブラケット６１２と、前記トレー６１１内を前後方向に仕切るための仕切り板６１３とを有している。トレー６１１は、例えば硬質樹脂の一体成形によって形成されたトレー本体６１４と、このトレー本体６１４の下端縁に嵌め入れられるエッジ部材６１５とを有している。エッジ部材６１５は例えば弾性を有した軟質樹脂を所定の断面形状に押し出し成形されたものであり、トレー本体６１４の前後及び外方に亘って嵌め入れられるものである。なお、このエッジ部材６１５は複数の色のものを適宜選択して前記トレー本体６１４に取り付けることができる。すなわち、トレー６１１を用途により使い分ける等するときは、それぞれのトレー本体６１４に異なる色を呈した前記エッジ部材６１５を取り付け、使用者が各トレー６１１を識別し易いようにすることができる。なお本実施形態では、図示下側のトレー本体６１４に取り付けられた前記エッジ部材６１５に対し、図示上側のトレー本体６１４に取り付けられた前記エッジ部材６１５とは異なる色を呈していることを示すべくパタンを付して示している。
【００３８】
そして仕切り板６１３は、トレー本体６１４の内部を前後に仕切るための板体６１３ａと、この板体６１３ａが倒れないように当該板体６１３ａの上端両側から例えば線材を反円弧状に延出させてトレー本体６１４に引っ掛けるようにした引掛部６１３ｂとを有している。
【００３９】
トレー本体６１４は、収容物を載置する底板部６１４ａと、この底板部６１４ａの周縁から立ち上がる立壁部６１４ｂと、この立壁部６１４ｂと前記底板部６１４ａとの間に設けられ前記エッジ部材６１５を嵌め入れうる所定形状に成形されたエッジ取付部６１４ｃと、底板部６１４ａの下面側に設けられ前記ブラケット６１２に装着し位置決めされるための装着部６６とを有している。立壁部６１４ｂは、底板部６１４ａ上の収容物が落下しないよう底板部６１４ａから一定寸法立ち上がるものであり、外方の前後方向中央位置に前記一定寸法から若干低い立ち上がり寸法に設定された凹み部６１４ｅと、前後方向の所定位置に亘って外方、内方ともに前後方向に所定寸法隔てて三つずつ形成された突起６１４ｆとを有している。凹み部６１４ｅは、トレー本体６１４内に特定の医療用品、例えば使い捨ての手袋やペーパー、袋等の備品を多数収容した備品収容箱に設けられた備品取り出し口が、当該備品収容箱を例えば縦置きした状態でトレー本体６１４の外方に完全に露出し得るように高さ位置を設定してある。前記突起６１４ｆは、前記仕切り板６１３の位置を前後方向に位置決めするためのものである。本実施形態では、前記仕切り板６１３の引掛部６１３ｂをこの突起６１４ｆの位置に沿って設置したときに、前記備品収容箱の備品取り出し口が前記凹部から完全に露出し得る位置に位置決めされるように設定してある。装着部６６は、前記底板部６１４ａの下面側から樹脂素材を下方に突出させることにより形成したものであり、側方から前記ブラケット６１２に対して水平に差し込むことにより、前記ブラケット６１２に対して前記トレー本体６１４を固定するためのものである。この装着部６６は、前記ブラケット６１２の装着時に当該ブラケット６１２を上方から押圧する押圧リブ６６１と、前記ブラケット６１２にそれぞれ前後及び側方から係り合う外リブ６６２及び端リブ６６３とを有している。押圧リブ６６１は、底板における支柱２側たる内側端近傍において前後方向及び側方に延出している。外リブ６６２は、前記ブラケット６１２の縁部を上下から挟み込むためのスリット６６４と、前記ブラケット６１２に対し凹凸係合するための位置決め凸部６６５とを有している。端リブ６６３は、前記外リブ６６２同様、前記ブラケット６１２の縁部を上下から挟み込むためのスリット６６４と、前記ブラケット６１２の装着終了時に前記ブラケット６１２の縁部に当接するか近接する挿入端６６６とを有している。
【００４０】
前記ブラケット６１２は、例えば板金素材の切り出し及び折り曲げにより一体に成形されたもので、前記支柱２の右側、左側に取り付けるべく互いに対称形状である２種類のものがあるが、本実施形態ではこれらを同じ符号を付してまとめて説明する。このブラケット６１２は、前記支柱２の側面である前記取付面２ａに平行に配される基板６１２ａと、この基板６１２ａの両側縁から前記支柱２に向かう方向に突出させ前記フック孔２ｄに着脱可能に係り合う爪６１２ｂと、前記基板６１２ａから外方に突出し前記トレー６１１を略水平方向に挿脱可能に取り付け得るトレー取付部材６１６と、前記基板６１２ａ及び前記トレー取付部材６１６に亘って板金を一定領域凹ませて形成した凹み領域とを有している。本実施形態では、前記凹み領域を形成することによりブラケット６１２全体の剛性を有効に向上せしめている。基板６１２ａは、本実施形態ではブラケット６１２を取り付けた状態において前記支柱２の略接し得る位置まで近接するように設定されており、当該基板６１２ａの前後両端における上下方向に離間した二箇所から、前記爪６１２ｂを板金の切り起こしにより突出させている。爪６１２ｂは、本実施形態では上側の爪６１２ｂを先端が上側に向けて屈曲した形状をなす上向き爪６１２ｃとし、下側の爪６１２ｂを先端が下側に向けて屈曲した形状をなす下向き爪６１２ｄとしている。前記トレー取付部材６１６は、前記基板６１２ａの下端から水平方向に延出し、前記トレー６１１を側方から水平に挿入して取り付け得るようにしている。このトレー取付部材６１６は、基板６１２ａから遠い先端側において幅を狭く設定し装着時に前記端リブ６６３に挟持される幅狭部６１６ｂと、基板６１２ａに近接した基端側において幅狭部６１６ｂに比べて幅を広く設定し装着時に前記外リブ６６２に挟持される幅広部６１６ａと、これら幅狭部６１６ｂ及び幅広部６１６ａとの間を湾曲形状をなして接続する接続部６１６ｃと、前記幅狭部６１６ｂの一部を前後から凹ませて形成し前記外リブ６６２の位置決め突起６１４ｆに対し凹凸係合する位置決め凹部６１６ｄとを有している。なお本実施形態では、前記幅狭部６１６ｂ及び前記幅広部６１６ａは、両方の縁が並行に延びる形状となっている。換言すれば、前記幅狭部６１６ｂ及び前記幅広部６１６ａは、それぞれ所定の太さで基板６１２ａから突出している。
【００４１】
＜棚板ユニット＞
前記棚板ユニット６２は、板金素材の折り曲げにより成形された対をなす棚用ブラケット６２２と、この棚用ブラケット６２２にねじにより固定される棚板６２１とを具備してなるもので、前記トレーユニット６１同様、当該棚用ブラケット６２２を介して前記支柱２の両側面に設けられたオプション取付部２ｂに高さ位置変更可能に取り付けられる。
【００４２】
棚板６２１は、前記天板４に類する構成をなすものであり、例えば、木製の芯材６２１ｂと、この芯材の上面に添設されたメラミン樹脂板等の化粧板６２１ｃと、この化粧板６２１ｃ及び前記芯材６２１ｂの周縁を包囲する棚エッジ部材６２１ｄとを具備してなる。前記芯材６２１ｂの下面側における前記棚用ブラケット６２２に対応する部位には雌ねじ穴６２１ｅが形成されている。この棚板６２１は、使用端側における幅方向中央を、前記支柱２を囲む程度に凹ませた退避縁６２１ａとしている。この退避縁６２１ａを設けることにより、棚板６２１は前記支柱２に取り付けた状態で当該支柱２を回り込むように配置される。すなわち棚板６２１は退避縁６２１ａを設けることで前記支柱２の両側近傍にも物品を載置し得る。
【００４３】
棚用ブラケット６２２は、前記ブラケット６１２同様、例えば板金素材の切り出し及び折り曲げにより一体に成形されたもので、前記支柱２の右側及び左側に取り付けるべく互いに対称形状をなす。本実施形態ではこれら対をなす棚用ブラケット６２２に対し、同じ符号を付してまとめて説明する。この棚用ブラケット６２２は、前記支柱２の側面である前記取付面２ａに平行に配される基板６２２ａと、この基板６２２ａの両側縁から前記支柱２に向かう方向に突出させ前記フック孔２ｄに着脱可能に係り合う爪６２２ｂと、前記基板６２２ａから外方に突出し前記棚板６２１を取り付ける棚取付部材６２２ｃとを有してしている。基板６２２ａは、本実施形態ではブラケットを取り付けた状態において前記支柱２の略接し得る位置まで近接するように設定されており、当該基板６２２ａの前後両端における上下方向に離間した二箇所から、前記爪６２２ｂを板金の切り起こしにより突出させている。爪６２２ｂは、本実施形態では上記ブラケット同様、上側の爪６２２ｂを先端が上側に向けて屈曲した形状をなす上向き爪６２２ｄとし、下側の爪６２２ｂを先端が下側に向けて屈曲した形状をなす下向き爪６２２ｅとしている。前記棚板取付部材６２２ｃは、前記基板６２２ａの下端から水平方向に延出している。この棚板取付部材６２２ｃは、水平方向に平板状に延出した棚板支持部６２２ｆと、この棚板取付部６２２ｆの前後２箇所に設けたねじ挿通孔６２２ｇとを有している。
【００４４】
＜両側トレーユニット＞
しかして本実施形態では上述の通り図１〜図８に示す前記トレーユニット６１及び棚板ユニット６２の他、図９〜図１１に拡大して示すように、前記支柱２の左右に亘って物品を収容し得る両側トレー６３１を有する両側トレーユニット６３を前記支柱２に用いることが可能である。以下、斯かる両側トレーユニット６３について説明する。この両側トレーユニット６３は、支柱に左右にまたがって位置付けられる両側トレー６３１を、二つの左右対称形状をなす両側トレー用ブラケット６３２にそれぞれ前記支柱２から左右方向外方に向かって片持ち支持している。この両側トレーユニット６３を前記支柱２に取り付けることによって、前記天板４下方における物品を載置するための面積の拡大化を実現したものである。
【００４５】
前記両側トレーユニット６３は、板金素材の折り曲げにより成形された対をなす両側トレー用ブラケット６３２と、この両側トレー用ブラケット６３２に着脱可能に保持される前記両側トレー６３１と、この両側トレー６３１内を仕切るための仕切り板６３３とを具備してなるもので、当該両側トレー用ブラケット６３２によって前記支柱２の両側面である取付面２ａに設けられたオプション取付部２ｂに高さ位置変更可能に取り付けられる。この両側トレーユニット６３は、前記支柱２に形成された左右のオプション取付部２ｂに対し、それぞれ両側トレー用ブラケット６３２を同じ高さに取り付けておき、これら対をなす両側トレー用ブラケット６３２の後述するトレー取付部材６３６に対し、後方、すなわち前記天板４の反使用端側から同時に両側トレー６３１を装着することによって前記支柱２に取り付けられる。
【００４６】
前記仕切り板６３３は、前記両側トレー６３１内の所定位置を前後及び／又は左右方向に仕切るためのものである。この仕切り板６３３は、前記両側トレー６３１内を左右方向に仕切るべく前後方向に延びる姿勢で装着される長尺板６３３ａと、前記両側トレー６３１内を前後方向に仕切るべく左右方向に延びる姿勢で装着される短寸板６３３ｂと、これら長尺板６３３ａ及び短寸板６３３ｂの中間位置に設けられ、これら長尺板６３３ａ及び短寸板６３３ｂを交差した状態で接続するための交差スリット６３３ｃと、これら長尺板６３３ａ及び短寸板６３３ｂの下端から下方に突出し前記両側トレー６３１に対し上方から差込固定するための底突起６３３ｄと、これら長尺板６３３ａ及び短寸板６３３ｂから一部を水平方向に突出させることで前記底突起６３３ｄと同じく前記両側トレー６３１に対し上方から差込固定するための横突起６３３ｅとを有している。当該仕切り板６３３は図１０に図示の通り長尺板６３３ａ及び短寸板６３３ｂを交差スリット６３３ｃによって結合させ平面視交差させた態様に限られず、図９に示すように短寸板６３３ｂのみを装着する態様としても、図示しないが前記長尺板６３３ａのみを装着する態様としても良い。すなわち前記仕切り板６３３により使用者は、前記両側トレー６３１内の収納空間の使い分けを使用者の意図に応じて自由に設定し得る。
【００４７】
前記両側トレー本体６３４は、収容物を載置する底板部６３４ａと、この底板部６３４ａの周縁から立ち上がる立壁部６３４ｂと、前記支柱２に対応する部分に相当する前記底板部６３４ａ及び前記立壁部６３４ｂを平面視凹ませて形成した退避部６３４ｃと前記底板部６３４ａの下面側において前記退避縁６３４ｃを隔てて対をなして左右対称に設けられ、前記両側トレー用ブラケット６３２の前記トレー取付部材６３６に装着し位置決めされるための装着部６８とを有している。前記底板部６３４ａには、前記仕切り板６３３の前記底突起６３３ｄを上方から差し込み固定するための差込穴６３４ｄが形成されている。前記立壁部６３４ｂは、前記底板部６３４ａ上の物品が落下しないよう前記底板部６３４ａから一定寸法立ち上がるものであり、左右外縁における前後方向の略中央の領域を一部上下方向に凹ませて形成した凹み部６３４ｅと、前記仕切り板６３３の前記横突起６３３ｅを差し込み固定するための差し込みスリット６３４ｆと、当該側壁部６３４ｂの外縁上端からさらに外側へ向けて下方へ湾曲しながら折り返して形成した折り返し縁６３４ｇとを有している。前記凹み部６３４ｅは、両側トレー本体６３４内に特定の医療用品、或いは所定規格に準じたサイズのティッシュペーパーの箱等の備品を多数収容した備品収容箱に設けられた備品取り出し口が完全に露出し得るように高さ位置を設定してある。例えば底板部６３４ａ上に前記ティッシュペーパーの箱を横向けに載置した場合、当該箱におけるティッシュペーパーの取り出し口は、前記凹み部６３４ｅから外側方に完全に露出するようになっている。これにより、両側トレー本体６３４の側方からティッシュペーパーをスムーズに引き出す事ができる。また前記折り返し縁６３４ｇは、前記両側トレー本体６３１を外方から把持し易いようにしているのみならず、側壁部６３４ｂに形成した差込スリット６３４ｆを外側から隠蔽する役割も担う。
【００４８】
前記装着部６８は、前記底板部６３４ａの下面側から樹脂素材を下方に突出させることにより形成したものであり、側方から前記トレー取付部材６３６に対して後方から差し込むことにより、前記両側トレー用ブラケット６３２に対して前記両側トレー６３１を固定するためのものである。この装着部６８は、前記両側トレー用ブラケット６３２のトレー取付部材６３６に左右方向外側から係り合う外側リブ６８２と、前記トレー取付部材６３６に左右方向内側から当接する内側リブ６８１と、前記トレー取付部材６３６に対し後方から係り合う端リブ６８３と、前記内側リブ６８１と前記端リブ６８３との間に設けられた係合リブ６８７とを有している。前記外側リブ６８２は、前記トレー取付部材６３６における前後方向略全域に亘って縁部を上下から挟み込むためのスリット６８４と、前記トレー取付部材６３６の前端部分に対し凹凸係合し得る基端凹部６８８とを有している。前記内側リブ６８１は、直線状に形成された前記トレー取付部材６３６の左右方向内側に当接する。前記係合リブ６８７は、前記トレー取付部材６３６の後端近傍の位置で当該トレー取付部材６３６に対し凹凸係合するための先端凸部６８５を有している。前記端リブ６８３は、前記両側トレー用ブラケット６３２の後端縁を上下から挟み込むためのスリット６８４と、前記両側トレー用ブラケット６３２への装着終了時に前記トレー取付部材６３６の後端縁に当接するか近接する挿入端６８６とを有している。
【００４９】
前記両側トレー用ブラケット６３２は、前記ブラケット６１２同様、例えば板金素材の切り出し及び折り曲げにより一体に成形されたもので、前記支柱２の右側、左側にそれぞれ取り付けるために、互いに対称形状である２種類のものがあるが、本実施形態ではこれらを同じ符号を付してまとめて説明する。この両側トレー用ブラケットは６３２、前記支柱２の側面である前記取付面２ａに平行に配される基板６３２ａと、この基板６３２ａの両側縁から前記支柱２に向かう方向に突出させ前記フック孔２ｄに着脱可能に係り合う爪６３２ｂと、前記基板６３２ａから外方に突出し前記両側トレー６３１を略水平方向に挿脱可能に取り付け得るトレー取付部材６３６とを有している。そしてこの前記両側トレー用ブラケット６３２は、前記基板６３２ａ、爪６３２ｂ及びトレー取付部材６３６に加え、前記基板６３２ａから前記支柱２の後側に添接しながら延出して互いの両側トレー用ブラケット６３２同士を結合することで、前記両側トレー６３１を支持する強度を向上させている結合部６３２ｅを有している。前記基板６３２ａは、本実施形態では両側トレー用ブラケット６３２を取り付けた状態において前記支柱２に略接し得る位置まで近接するように設定されており、当該基板６３２ａの前後両端における上下方向に離間した二箇所から、前記爪６３２ｂを板金の切り起こしにより突出させている。前記爪６３２ｂは上側の爪６３２ｂを先端が上側に向けて屈曲した形状をなす上向き爪６３２ｃとし、下側の爪６３２ｂを先端が下側に向けて屈曲した形状をなす下向き爪６３２ｄとしている。前記トレー取付部材６３６は、前記基板６３２ａの下端から水平方向に延出し、前記両側トレー６３１を反使用端側から挿入し得るようにしている。このトレー取付部材６３６は、先端側において幅を狭く設定した幅狭部６３６ｂと、基端側において前記幅狭部よりも幅を広く設定した幅広部６３６ａと、これら幅狭部６３６ｂ及び幅広部６３６ａとを湾曲形状をなして接続する接続部６３６ｃと、前記幅狭部６３６ｂの後端縁近傍の一部を左右外方から内方へ凹ませて形成した先端凹部６３６ｄとに加え、前記幅広部６３６ａの前端縁近傍の一部を左右内方から外方へ凹ませた基端凹部６３６ｅとを有している。そして前記結合部６３２ｅは、延出先端側に上下２つ設けられた例えば雌ねじ穴である前記結合穴６３２ｆを前記支柱２の後ろ側で連通させ、これら連通した前記結合穴６３２ｆに対し前記結合ねじ６３２ｇを装着することによって、互いの前記両側トレー用ブラケット６３２同士を結合している。
【００５０】
＜動作説明＞
しかして本実施形態に係る搬送用什器たる前記ナースカートＮは、上述したオプションである前記トレーユニット６１、前記棚板ユニット６２及び前記両側トレーユニット６３をそれぞれ上下方向の任意の位置に取り付け得る。特に本実施形態では、前記オプション取付部２ｂが、前記トレー６１１を略水平方向に挿脱可能に取り付け得る前記トレー取付部材６１６を前記支柱２に高さ位置変更可能に保持させるものとしている。これにより、少なくとも前記トレー６１１の取り付けは、前記オプション取付部２ｂ近傍において上下方向にスペースの余裕が少ない場合であっても容易に行い得る。以下、前記支柱２に対する前記トレーユニット６１に装着する際の態様について図８及び図１２に示して説明する。
【００５１】
前記支柱２に対する前記トレー６１１の取り付けは以下の通りに行う。まず前記ブラケット６１を前記支柱２の側面である前記取付面２ａに設けられた前記オプション取付部２ｂに対し装着する。つまり前記目地２ｃ内の前記フック孔２ｄに対し、前記上向き爪６１２ｃ、前記下向き爪６１２ｄをそれぞれ引っ掛ける。ここで本実施形態では前記爪６１２ｂの形状を、上下で異なる形状を有する態様を適用している。そのため前記フック孔２ｄに前記爪６１２の取り付け作業の際、前記ブラケット６１２は図１２において想像線で示す状態にまで傾けなければならない。
【００５２】
そして前記支柱２に対してブラケットのみを取り付けた状態では、図１２に示すように、前記支柱２から左右何れかの方向に、前記トレー取付部材６１６が水平に突出した状態となる。本実施形態では、この状態にある前記ブラケット６１２の前記トレー取付部材６１６に対し、側方から前記支柱２へ向かう方向に前記トレー６１１を水平方向に動作させるのみで装着する。具体的には前記トレー６１１の前記底板部６１１ａに設けられた前記装着部６６に、前記トレー取付部材６１６を以下のように係り合わせる。まず、前記トレー本体６６４の前記底板部６１４ａを前記トレー取付部材６１６の側端部分に載せ置く。この状態から前記トレー６１１を前記支柱２へ向けて側方へスライドさせると、前記幅狭部６１６ｂが前後に離間した前記外リブ６６２間に、幅寸法に余裕を持った状態で挿入されていく。そして当該挿入を進めていくと、前後の前記外リブ６６２の何れかに前記接続部６１６ｃが当接する。このとき前記接続部６１６ｃは湾曲形状をなしているので、前記トレー６１１は前記接続部６１６ｃに案内されながら前後方向に位置決めがなされる。そしてさらに前記トレー６１１の挿入を進めると、前記幅広部６１６ａが前記外リブ６６２のスリット６６４に上下から挟まれつつ前記外リブ６６２間に前記幅広部６１６ａが隙間無く挿入される。しかる後、さらに前記トレー６１１を前記支柱２へ向けて挿入していくと、トレー取付部材６１６の先端が端リブ６６３のスリット６６４に上下から挟まれつつ挿入端６６６に当接するか或いは略当接する程度に近接する。このとき、前記位置決め凹部６１６ｄと前記位置決め凸部６６５とが凹凸係合を行う。これにより、挿入動作が禁止されるか或いは前記トレー６１１を把持している使用者が前記凹凸係合の発生による前記トレー６１１の振動を認識する。このようにして前記トレーユニット６１の前記支柱２に対する取り付けが完了する。
【００５３】
また本実施形態では、上記のように前記支柱２の何れか一方の側面にある前記オプション取付部２ｂに取り付けた前記トレー６１１を取り外し、他方の側面に取り付け直すことも可能である。すなわち本実施形態では、前記トレー取付部材６１６を前記支柱２に取り付けたときの前後方向で対称形状に形成するとともに、前記トレー６１１も同様に装着部６６ごと前後対称形状に設定しているからである。換言すれば、前記支柱２の両側ともに前記トレー６１１を取り付け得るように本実施形態では少なくとも前記装着部６６が前後方向に対称形状をなしているからである。
【００５４】
さらに本実施形態ではオプションたる前記トレーユニット６１の取り付けに際しては前記ブラケッ６１２とオプション部材たる前記トレー６１１とが別体に構成されているため、同図に示すように、前記トレー６１１もろとも前記爪６１２ｂの装着のために傾けて作業する必要が無いように構成されている。なおこの点は前記棚板ユニット６２、前記両側トレーユニット６３についても同様である。
【００５５】
続いて図９〜図１１を参照しつつ、前記両側トレーユニット６３の前記支柱２に対する取り付け態様を説明する。
【００５６】
前記支柱２に対する前記両側トレー６３１の取り付けは以下の通りに行う。まず対をなす前記両側トレー用ブラケット６３２を前記支柱２の両側面である前記取付面２ａに設けられた前記オプション取付部２ｂに対し同じ高さ位置で装着する。換言すれば左右で同じ高さにある前記目地２ｃ内の前記フック孔２ｄに対し、前記上向き爪６３２ｃ、前記下向き爪６３２ｄをそれぞれ引っ掛ける。このとき前記両側トレー用ブラケット６３２は図１１に示した前記ブラケット６１２同様、前記上向き爪６３２ｃを前記フック孔２ｄへ挿入するために図１１における前記ブラケット６１２と同じくらい傾斜させる必要がある。
【００５７】
そして、前記支柱２に対をなす前記両側トレー用ブラケット６３２を取り付け終わった状態で、前記結合部６３２の前記結合穴６３２ｆは、左右の前記両側トレー用ブラケット６３２で互いに略連通する。これら連通した前記結合穴６３２ｆに対し、前記結合ねじ６３２ｇを装着する。この状態で前記支柱２の両側から後方に、前記トレー取付部材６３６が同じ高さで水平に突出した状態となる。本実施形態では、この状態にある対をなす前記両側トレー用ブラケット６３２の前記トレー取付部材６３６に対し、後方から前記両側トレー６３１を前方に装着する。具体的には前記両側トレー６３１の前記底板部６３１ａに左右対称に設けられた装着部６８に、前記トレー取付部材６３６を以下のように係り合わせる。
【００５８】
まず、前記支柱２の左右中央を前記両側トレー６３１の中央に合わせた状態で前記両側トレー本体６３４の前記底板部６３４ａを前記トレー取付部材６３６の後端部分に載せ置く。この状態から前記両側トレー６３１を前方へスライドさせると、幅狭部６３６ｂが前記外側リブ６８２及び前記内側リブ６８１の間に、幅寸法に余裕を持った状態で挿入されていく。そして当該挿入を進めていくと、前記外側リブ６８２及び前記内側リブ６８１の何れかに前記接続部６３６ｃが当接する。このとき前記接続部６３６ｃは湾曲形状をなしているので、前記両側トレー６３１は前記接続部６３６ｃに案内されながら左右方向に位置決めがなされる。
【００５９】
そしてさらに前記両側トレー６３１の挿入を進めると、前記外側リブ６８２の前記スリット６８４に上下から挟まれつつ前記外側リブ６８２及び前記内側リブ６８１の間に前記幅広部６３６ａが隙間無く挿入される。しかる後、さらに前記両側トレー６３１を前方へ挿入していくと、前記トレー取付部材６３６の先端が前記端リブ６８３の前記スリット６８４に上下から挟まれつつ前記挿入端６８６に当接するか或いは略当接する程度に近接する。
【００６０】
このとき、前記先端凹部６３６ｄと前記先端凸部６８５とが凹凸係合を行うとともに前記基端凹部６３６ｅと前記基端凸部６８８も同様に凹凸係合を行う。これにより、挿入動作が禁止されるか或いは前記両側トレー６３１を把持している使用者が前記凹凸係合の発生による前記両側トレー６３１の振動を認識する。このようにして前記両側トレーユニット６３の前記支柱２に対する取り付けが完了する。
【００６１】
このように、当該両側トレーユニット６３の取り付けに際しても、前記支柱２近傍に必要とする上下スペースは前記両側トレー用ブラケット６３２の装着の際に傾けるときに必要とするだけ有ればよい。つまり、前記トレーユニット６１と同様である。
【００６２】
続いて、図１３を参照しつつ、前記支柱２に対する前記棚板６２１の取り付けについて説明する。まず対をなす前記棚板用ブラケット６２２を前記支柱２の両側面である前記取付面２ａに設けられた前記オプション取付部２ｂに対し同じ高さ位置で装着する。換言すれば左右で同じ高さにある前記目地２ｃ内の前記フック孔２ｄに対し、前記上向き爪６２２ｃ、前記下向き爪６２２ｄをそれぞれ引っ掛ける。このとき前記棚板用ブラケット６２２は図１１に示した前記ブラケット６１２同様、前記上向き爪６２２ｃを前記フック孔２ｄへ挿入するために図１２における前記ブラケット６１２と同じくらい傾斜させる必要がある。
【００６３】
そして、前記支柱２に対をなす前記棚板用ブラケット６２２を取り付け終わった状態で、前記棚板取付部材６２２ｃの前記棚板支持部６２２ｆは、左右ともに同じ高さをなし且つ水平となる。これら水平となった前記棚板支持部６２２ｆには計４つの前記ねじ挿通孔６２２ｇが穿たれており、これら４つの前記ねじ挿通孔６２２ｆに対し、前記棚板６２１の前記めねじ穴６２１ｅの位置を合わせて、下方から前記固定ねじ６２１ｆを前記ねじ挿通孔６２２ｆを通過させて前記めねじ穴６２１ｅに締結する。
【００６４】
ここで、棚板６２１は前記天板４同様、上面が精密に平板状となるように成形されている。よって万が一、前記棚板用ブラケット６２２の形状が左右対をなす個体同士で僅かに誤差があったとしても、同図に示すように固定ねじ６２１ｆによるねじ止めを強固に行えば、前記誤差の影響を受けずに前記棚板６２１が前記棚板用ブラケット６２２に不意に追従して変形したり撓んだりすることなく前記支柱２に好適に取り付けられる。
【００６５】
このように、当該棚板ユニット６２の取り付けに際しても、前記支柱２近傍に必要とする上下スペースは前記棚板用ブラケット６２２の装着の際に傾けるときに必要とするスペース、及び、前記固定ねじ６２１ｆの締結に必要なスペースだけ有ればよい。つまり、図１２に示した前記トレーユニット６１と略同様である。
【００６６】
以上のような構成とすることにより、本実施形態に係る搬送用什器たるナースカートＮは、前記支柱２を左右方向中央に配置しつつ、当該支柱２の両側の取付面２ａの何れのオプション取付部２ｂにも装着可能なトレー６１１を片持ち状態で支持された状態で取り付けることにより、周囲の何れの方向からでも物品の大きさに関わらず使用者が物品の出し入れを容易に行い得るようにし、ひいては病院や診療所等における使用者の作業の一層の効率化に資する。特に本実施形態では、前記支柱２の左右両側に位置する空間を物品収容のための空間としてより有効に利用するために、前記支柱２を、左右両側に前記オプション取付部２ｂを有した取付面２ａを備えたものとし、前記取付面２ａと直交する方向の外法寸法を前記取付面２ａに平行な方向の外法寸法よりも小さくしたものとしている。
【００６７】
加えて本実施形態では、前記トレー６１１を用いた作業を使用者がより行い易くするために、前記支柱２上に配され当該支柱２の両側に取り付けられる前記トレー６１１を平面視において略覆い得る形態を有した天板４を具備してなるものとしている。斯かる構成によって、使用者はトレー６１１への物品の出し入れを天板４をも利用しながら容易且つ快適に行い得る。
【００６８】
また前記オプション取付部２ｂの具体的な態様として本実施形態では、前記トレー６１１を略水平方向に挿脱可能に取り付け得るトレー取付部材６１６を前記支柱２にフック孔２ｄの高さ位置に従って変更可能に保持させるものとする態様を適用している。
【００６９】
さらに本実施形態のオプション取付部２ｂの詳細な態様として説明すると、前記各取付面２ａに上下方向に延びる平行な二本の目地２ｃと、これら目地２ｃの目地底に上下方向に所定の間隔をあけて形成された複数のフック孔２ｄとを備えたものとしている。ここで上述した通り、本実施形態では前記支柱２の前後方向の外法寸法を左右のそれよりも大きく設定しつつ、前記二本の目地２ｃ間の距離を前記コア部材２４の前後端に相当するように、可能な限り大きい寸法に設定しているため、取付面２ａはオプション部材たるトレー６１１、棚板６２１及び両側トレー６３１を前後方向にがたつき無く安定して支持し得る。
【００７０】
そして、前記支柱２における取付面２ａにおいて何も装着していない余裕のスペースが上下方向に乏しい場合でもオプション部材たるトレー６１１の取り付け／取り外し作業を容易に行い得る具体的な態様として本実施形態では、前記オプション取付部２ｂが、前記フック孔２ｄに掛止めされるブラケット６１２を介して前記トレー６１１を前記支柱２に支持させるためのものであり、前記ブラケット６１２が、前記支柱２の前記取付面２ａに平行に配される基板６２１ａと、この基板６２１ａの両側縁から前記支柱２に向かう方向に突出させ前記フック孔２ｄに着脱可能に係り合う爪６２１ｄと、前記基板６２１ａから外方に突出し前記トレー６１１を略水平方向に挿脱可能に取り付け得るトレー取付部材６１６とを有している態様を適用している。
【００７１】
また、実際の使用に際してオプション部材たるトレー６１１を好適に取り扱い得る態様として本実施形態では、前記支柱２が、前記脚ベース１の左右方向中央に立設されたものであり、前記オプション取付部２ｂが、前記支柱２の左右方向両側に前記トレー６１１をそれぞれ片持状態で取り付けることができるものである態様を適用している。
【００７２】
そして搬送用什器を構成する部品の共有率を向上して製造工程の簡素化を図るために本実施形態では、前記トレー６１１を、前記支柱２の両側ともに取り付けることができるように、底板部６１１ａの下面側に形成した前記ブラケット６１２に係り合う装着部６６の形状を、前後対称形状としている。これにより前記部品共有率の向上のみならず、トレー６１１を前記支柱２の左右自由に付け替え可能にして使用者にとっての使い勝手の向上にも資するようにしている。
【００７３】
以上、本発明の実施形態について説明したが、各部の具体的な構成は、上述した実施形態のみに限定されるものではなく、本発明の趣旨を逸脱しない範囲で種々変形が可能である。
【００７４】
例えば、上記実施形態ではオプション取付部に設けた目地を利用してオプションを取り付ける態様を開示したが、一方、目地を省略した支柱にオプションを高さ位置変更可能に取り付けることができるオプション取付部を設けるようにしてももちろんよい。さらに、上述した実施形態ではオプションに爪付ブラケットを備えさせ、支柱のフック孔に前記爪付ブラケットの爪を係り合わせる態様を採用しているが、他の取付態様を採用してももちろんよい。またハンドルや支持構造体の具体的な態様は上記実施形態のものに限定されることはなく、既存のものを含め、種々の態様のものを適用することができる。
【００７５】
その他、各部の具体的構成についても上記実施形態に限られるものではなく、本発明の趣旨を逸脱しない範囲で種々変形が可能である。
【産業上の利用可能性】
【００７６】
本発明は病院や診療所等において好適に使用される搬送用什器として利用することができる。
【符号の説明】
【００７７】
１…脚ベース
２…支柱
２ａ…取付面
２ｂ…オプション取付部
２ｃ…目地
２ｄ…フック孔
４…天板
６１１…トレー
６１２…ブラケット
６１２ａ…基板
６１２ｂ…爪
６１６…トレー取付部材
Ｎ…搬送用什器（ナースカート）
【図１】
0006778983.tif 000002
【図２】
0006778983.tif 000003
【図３】
0006778983.tif 000004
【図４】
0006778983.tif 000005
【図５】
0006778983.tif 000006
【図６】
0006778983.tif 000007
【図７】
0006778983.tif 000008
【図８】
0006778983.tif 000009
【図９】
0006778983.tif 000010
【図１０】
0006778983.tif 000011
【図１１】
0006778983.tif 000012
【図１２】
0006778983.tif 000013
【図１３】
0006778983.tif 000014